【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
尿検査試験片と、前記尿検査試験片を受けるように構成された試験片保持器とを有するアセンブリであって、前記尿検査試験片は、少なくとも１つの試験パッド部を含む、アセンブリと、
前記アセンブリを受け入れて保持する装置本体であって、前記装置本体は、尿検査装置と携帯型コンピュータ装置との間の電子通信のために構成されたポートを有する、装置本体とを備え、
前記尿検査試験片は、尿へ挿入して尿サンプルを回収するように構成され、
前記少なくとも１つの試験パッド部は、炎症監視試験、酸化ストレス監視試験、抗酸化活性監視試験、およびそれらの組み合わせから成る群から選択される少なくとも１つの試験を含む、尿検査装置。
【請求項２】
前記少なくとも１つの試験パッド部は、ＴＮＦ−α、ＩＬ−６、ＩＬ−８、オステオポンチン、オロソムコイド、アルブミン、α１−ミクログロブリン、ＰＧＥ２、ＰＧＦ２α、酸化窒素、硝酸塩および酸化窒素（ＮＯｘ）に由来する硝酸塩、ヒスタミン、尿タンパク質、タンパク質カルボニル、チオバルビツール酸反応性物質（ＴＢＡＲＳ）、マロンジアルデヒド、４−ヒドロキシノネナール、脂質ヒドロペルオキシド、イソタンパク質、リノール酸酸化生成物、ニトロチロシン、ニトロチロール、８−ヒドロキシ−デオキシグアノシン、Ｍ１ｄＧ、リボース環の酸化誘導体、セレン、ＧＳＨ、ＧＳＳＧ、ＧＳＨ／ＧＳＳＧ比、尿酸、グルタチオン・ペルオキシダーゼ、活性酸素分解酵素、アスコルビン酸、およびそれらの組み合わせから成る群から選択される生物指標化合物を定量化する少なくとも１つの試験を含む、請求項１に記載の尿検査装置。
【請求項３】
前記装置本体は、前記尿検査試験片上の各試験パッド部の光反射率測定値に基づいて、生データを生成するように配置および構成された複数のＬＥＤおよび光センサをさらに備える、請求項１に記載の尿検査装置。
【請求項４】
前記ポートは、前記携帯型コンピュータ装置に電子的および物理的に連結するためのハードウェアを備える、請求項１に記載の尿検査装置。
【請求項５】
前記ハードウェアは、ＵＳＢコネクタ、マイクロＵＳＢコネクタ、３０ピンコネクタ、ＩＥＥＥ−１３９４コネクタ、ＰＣＩエクスプレスとディスプレイポートとを１つの直列信号へと組み合わせ、直流電力を提供するコネクタ、８ピンコネクタ、およびそれらの組み合わせから成る群から選択される、請求項４に記載の尿検査装置。
【請求項６】
前記携帯型コンピュータ装置は、スマートフォン、タブレット、携帯ｍｐ３プレイヤー、およびスマートウォッチから成る群から選択される、請求項１に記載の尿検査装置。
【請求項７】
前記試験片は、白血球、窒素、ウロビリン、タンパク質、ｐＨ、血液、比重、ケトン、ビリルビン、およびグルコースのための試験を含む、請求項１に記載の尿検査装置。
【請求項８】
携帯型コンピュータ装置に電子的に連結された尿検査装置を使用して尿サンプルを分析する方法であって、前記方法は、
前記尿サンプルに尿検査試験片を挿入し、前記尿サンプルで湿らせた前記尿検査試験片を前記尿検査装置に置くステップであって、前記尿検査装置は、ポートを通じて前記尿検査装置から前記携帯型コンピュータ装置に電子データを転送するように構成された前記ポートを有する、ステップと、
生データを前記尿検査装置内の前記尿検査試験片から得るステップと、
前記生データを前記尿検査装置から前記携帯型コンピュータ装置へと送信するステップと、
前記携帯型コンピュータ装置によって前記生データを分析するステップと
を含む方法。
【請求項９】
前記尿検査試験片をプラスチック担持体へと挿入してアセンブリを形成し、次いで前記アセンブリを前記尿検査装置に挿入するステップをさらに含む、請求項８に記載の方法。
【請求項１０】
前記ポートは、前記携帯型コンピュータ装置に前記尿検査装置を物理的に連結するように構成されたハードウェアをさらに備え、前記尿検査装置は、前記尿検査装置が前記ポートによって前記携帯型コンピュータ装置に物理的および電子的に結合されている場合に、前記携帯型コンピュータ装置から電力を引き込む、請求項８に記載の方法。
【請求項１１】
前記生データを前記尿検査試験片から得るステップは、前記尿検査装置に配置され、前記尿検査試験片からの光反射率測定値に基づいて生データを生成するように構成されたＬＥＤおよび光センサの動作を含む、請求項８に記載の方法。
【請求項１２】
前記データを送信するステップは、生の反射率の値およびＲＧＢＷの値の少なくとも１つを、前記携帯型コンピュータ装置の非一時的なコンピュータ読取可能媒体上に存在するアプリケーションに送信するステップをさらに含む、請求項１１に記載の方法。
【請求項１３】
前記尿検査試験片は、炎症監視試験、酸化ストレス監視試験、抗酸化活性監視試験、およびそれらの組み合わせから成る群から選択される少なくとも１つの試験をさらに含む少なくとも１つの試験パッド部を備える、請求項８に記載の方法。
【請求項１４】
前記試験片は、ＴＮＦ−α、ＩＬ−６、ＩＬ−８、オステオポンチン、オロソムコイド、アルブミン、α１−ミクログロブリン、ＰＧＥ２、ＰＧＦ２α、酸化窒素、硝酸塩および酸化窒素（ＮＯｘ）に由来する硝酸塩、ヒスタミン、尿タンパク質、タンパク質カルボニル、チオバルビツール酸反応性物質（ＴＢＡＲＳ）、マロンジアルデヒド、４−ヒドロキシノネナール、脂質ヒドロペルオキシド、イソタンパク質、リノール酸酸化生成物、ニトロチロシン、ニトロチロール、８−ヒドロキシ−デオキシグアノシン、Ｍ１ｄＧ、リボース環の酸化誘導体、セレン、ＧＳＨ、ＧＳＳＧ、ＧＳＨ／ＧＳＳＧ比、尿酸、グルタチオン・ペルオキシダーゼ、活性酸素分解酵素、アスコルビン酸、およびそれらの組み合わせから成る群から選択される生物指標化合物を定量化する少なくとも１つの試験を含む、請求項８に記載の方法。
【請求項１５】
非一時的なコンピュータ読取可能媒体におけるアプリケーションで尿検査装置を使用する方法であって、前記方法は、
電力を認識して前記尿検査装置へと提供するステップと、
生データを前記尿検査装置から受け取るステップと、
前記尿検査装置からの生データを結果へと変換および修正するステップと、
前記アプリケーションに常駐する報告フォームに結果を追加するステップと
を含む方法。
【請求項１６】
前記アプリケーションにおいて結果を表示するステップをさらに含む、請求項１５に記載の方法。
【請求項１７】
健康アプリケーション、医療記録データベース、装置、ネットワーク、およびウェブサイトから成る群から選択される外部の場所へと直接的に前記結果を移植するステップをさらに含む、請求項１５に記載の方法。
【請求項１８】
結果に関する警告を提供するステップをさらに含む、請求項１５に記載の方法。
【請求項１９】
（１）コンピュータ読取可能媒体をさらに備えた携帯型コンピュータ装置と、
（２）尿検査装置のポートと前記携帯型コンピュータ装置の部位との間の接続を介して前記携帯型コンピュータ装置と連結された前記尿検査装置であって、前記尿検査装置は、
（ａ）尿検査試験片および試験片保持器を含むアセンブリを保持するように構成された装置本体と、
（ｂ）前記装置本体に保持され、前記尿検査試験片および前記試験片保持器を含むアセンブリであって、前記尿検査試験片は、尿に挿入して尿サンプルを回収するように構成された、アセンブリと、
（ｃ）前記尿検査試験片上の少なくとも１つの試験パッド部と、
を有する尿検査装置と、
（３）前記コンピュータ読取可能媒体に記憶されたコンピュータアプリケーションであって、前記コンピュータアプリケーションは、前記尿検査装置から前記携帯型コンピュータ装置に送信された生データを受け取るためのデータ受け取り機構と、前記アプリケーションに常駐する報告フォームに結果を追加するための報告機構と、を含むコンピュータアプリケーションと、
を備えるシステム。
【請求項２０】
前記少なくとも１つの試験パッド部は、炎症監視試験、酸化ストレス監視試験、抗酸化活性監視試験、およびそれらの組み合わせから成る群から選択される少なくとも１つの試験を含む、請求項１９に記載のシステム。